(57)【要約】      （修正有）【課題】うちわの選別を容易に行え、柄を持ちやすいうちわグリップを提供する。【解決手段】うちわグリップ１は、うちわ１００の柄１０２の部分に挿入可能な袋状のグリップ本体を備え、グリップ本体は、正面側部分及び背面側部分の内面に、うちわ１００の柄１０２に形成された孔１０４に係合する突起をそれぞれ有する。また、グリップ本体の外面には、所定の突状パターンが形成されている。うちわグリップ１をうちわ１００に取り付けると、突起が孔１０４に係合して、うちわグリップ１がうちわ１００から外れるのを防止する。【選択図】図８
0003216998.tif 000002
【実用新案登録請求の範囲】
【請求項１】
うちわの柄の部分に挿入可能な袋状のグリップ本体を備え、
前記グリップ本体は、その内面に、前記うちわの柄に形成された孔に係合する突起を有する、
ことを特徴とするうちわグリップ。
【請求項２】
前記突起は、前記グリップ本体の対向する内面にそれぞれ形成されている、
請求項１に記載のうちわグリップ。
【請求項３】
前記突起は、前記うちわの柄の前記孔の形状に対応する形状に形成されている、
請求項１又は請求項２に記載のうちわグリップ。
【請求項４】
前記グリップ本体は、その外面に所定の突状パターンを有する、
請求項１から請求項３のいずれか１項に記載のうちわグリップ。
【請求項５】
うちわの柄の部分に挿入可能な袋状のグリップ本体を備え、
前記グリップ本体は、その外面に所定の突状パターンを有する、
ことを特徴とするうちわグリップ。
【考案の詳細な説明】
【技術分野】
【０００１】
本考案は、うちわの柄に取り付けるためのうちわグリップに関する。
【背景技術】
【０００２】
従来、うちわの柄を覆うものとして、例えば特許文献１に記載されたものがある。特許文献１に記載のうちわの柄のカバーは、幼児が手に持ったときに怪我をしないようにスポンジ等の柔らかい材料で形成され、ひもと面ファスナーでうちわに固定される。
【先行技術文献】
【特許文献】
【０００３】
【特許文献１】特許第４７７８１０４号
【考案の概要】
【考案が解決しようとする課題】
【０００４】
ところで、うちわとしては、家庭で使用するうちわの他、コンサート等で使用される応援グッズとしてのうちわがある。使用者は、このような応援グッズ用のうちわを複数枚コンサート会場に持ち込み、コンサート中に使い分けることがある。しかしながら、応援グッズ用のうちわは柄の部分が同じ色であることが多く、選別がしにくい。うちわの柄の部分に目印をつけることも考えられるが、コンサート中に柄の部分を持つので、目印がはがれたり、柄が持ちにくくなったりすることが考えられる。
本考案の目的は、うちわの選別を容易に行え、柄を持ちやすいうちわグリップを提供することにある。
【課題を解決するための手段】
【０００５】
上記の目的を達成するために、本考案のうちわグリップは、うちわの柄の部分に挿入可能な袋状のグリップ本体を備え、グリップ本体は、その内面に、うちわの柄に形成された孔に係合する突起を有する、ことを特徴としている。
このように構成された本考案では、うちわの柄の部分に袋状のグリップ本体を有するので、グリップ本体をうちわの柄の部分に挿入することで、うちわグリップを柄に装着することができる。例えばうちわグリップを様々な色で形成しておけば、うちわの柄の色を識別することでうちわの選別が容易になる。
また、グリップ本体の内面に突起が形成されているので、うちわグリップをうちわの柄に装着すると、突起がうちわの柄の孔に係合する。したがって、うちわを使用している間、うちわグリップがうちわから外れにくくなるので、柄を持ちやすい。
【０００６】
本考案では、好ましくは、突起は、グリップ本体の対向する内面にそれぞれ形成されている。
このように構成された本考案では、突起がグリップ本体の対向する内面にそれぞれ形成されているので、グリップ本体の両方の面がうちわの柄の孔に係合する。よって、うちわグリップがうちわからより外れにくくなる。
【０００７】
本考案では、好ましくは、突起は、うちわの柄の孔の形状に対応する形状に形成されている。
このように構成された本考案では、突起の形状がうちわの柄の孔の形状に対応しているので、突起がうちわの柄の孔に係合したとき、突起と孔との間のがたつきが防止され、うちわグリップがうちわの柄に対してしっかり固定される。
【０００８】
本考案では、好ましくは、グリップ本体は、その外面に所定の突状パターンを有する。
このように構成された本考案では、グリップ本体が、外面に所定の突状パターンを有するので、うちわグリップを持ったとき、突状パターンが滑り止めの役割を果たす。よってうちわの柄をより持ちやすくなる。
【０００９】
また、上記目的を達成するために、本考案のうちわグリップは、うちわの柄の部分に挿入可能な袋状のグリップ本体を備え、グリップ本体は、その外面に所定の突状パターンを有する、ことを特徴としている。
このように構成された本考案では、うちわの柄の部分に袋状のグリップ本体を有するので、グリップ本体をうちわの柄の部分に挿入することで、うちわグリップを柄に装着することができる。例えばうちわグリップを様々な色で形成しておけば、うちわの柄の色を識別することでうちわの選別が容易になる。
また、グリップ本体が、外面に所定の突状パターンを有するので、うちわグリップを持ったとき、突状パターンが滑り止めの役割を果たす。よってうちわの柄を持ちやすくなる。
【図面の簡単な説明】
【００１０】
【図１】本考案の一実施形態に係るうちわグリップの正面図である。
【図２】本考案の一実施形態に係るうちわグリップの背面図である。
【図３】本考案の一実施形態に係るうちわグリップの左側面図である。
【図４】本考案の一実施形態に係るうちわグリップの平面図である。
【図５】本考案の一実施形態に係るうちわグリップの底面図である。
【図６】図４のＶＩ−ＶＩ線に沿った断面図である。
【図７】図１のＶＩＩ−ＶＩＩ線に沿った断面図である。
【図８】本考案の一実施形態に係るうちわグリップをうちわに取り付ける様子を説明するための図である。
【図９】本考案の一実施形態に係るうちわグリップをうちわに取り付けた状態を示す図である。
【図１０】本考案の一実施形態に係るうちわグリップをうちわに取り付けた状態で示す、うちわの柄の部分の縦断面図である。
【考案を実施するための形態】
【００１１】
以下、本考案の好ましい実施形態を添付図面を参照して説明する。
図１は、本考案の一実施形態に係るうちわグリップ１の正面図であり、図２は、うちわグリップ１の背面図、図３は、うちわグリップ１の左側面図、図４は、うちわグリップ１の平面図、図５は、うちわグリップ１の底面図、図６は、図４のＶＩ−ＶＩ線に沿った断面図、図７は、図１のＶＩＩ−ＶＩＩ線に沿った断面図である。
これらの図１〜図５に示すように、うちわグリップ１は、うちわ１００（図８参照）の柄１０２に挿入可能なグリップ本体２を有する。
【００１２】
グリップ本体２は、全体がシリコン等の可撓性材料で形成されており、略矩形の正面側部分４及び背面側部分６と、正面側部分４及び背面側部分６の左右を連結するように一体に形成される右側面部分８及び左側面部分１０と、底面１２とを有する、上部が開口の袋状に形成されている。
正面側部分４には、その外面下部に突状（エンボス状）パターン１４が形成されている。突状パターン１４は、例えばアーティスト名等の文字や模様等、任意の所定のパターンを装飾することができる。
【００１３】
また、正面側部分４及び背面側部分６の対向する面、すなわちこれらの内面には、それぞれ内面から突出する突起１６が形成されている。突起１６は、うちわグリップ１をうちわ１００に挿入したときに、うちわ１００の柄１０２に形成された孔１０４（図８参照）に対応する位置に形成されており、孔１０４の形状に対応した形状、より具体的には孔１０４の形状と同じ形状である矩形状に形成されている。
突起１６は、互いに対向した位置に形成されているが、図７に示すように、突起１６同士は接触せず、互いの間には隙間１７が形成されている。
【００１４】
右側面部分８及び左側面部分１０は、図４に示すように、正面側部分４と背面側部分６とを連続するように円弧状に形成されている。このような形状により、グリップ本体２は、断面長円形に形成される。
【００１５】
次に、このような構造のうちわグリップ１をうちわ１００の柄１０２に挿入する方法について説明する。図８は、うちわグリップ１をうちわ１００に取り付ける様子を説明するための図であり、図９は、うちわグリップ１をうちわ１００に取り付けた状態を示す図であり、図１０は、うちわグリップ１をうちわ１００に取り付けた状態で示す、うちわ１００の柄１０２の部分の縦断面図である。
図８に示すように、うちわグリップ１をうちわ１００の柄１０２に挿入すると、図９に示すように、うちわグリップ１の上端がうちわ１００の柄１０２をほぼ覆う。この状態では、図１０に示すように、突起１６が柄１０２の孔１０４に係合する。
【００１６】
このように構成された本実施形態によれば、次のような優れた効果を得ることができる。
うちわグリップ１がうちわ１００の柄１０２を覆うように袋状のグリップ本体２を有しているので、例えば異なる色のうちわグリップ１を取り付けることにより、複数のうちわ１００を識別することができる。したがって、コンサート等の応援グッズとしてうちわ１００が複数本ある場合でも、所望のうちわ１００を迅速に選別して取り出すことができる。
【００１７】
グリップ本体２の内面に突起１６が形成されているので、うちわグリップ１をうちわ１００に取り付けた際、突起１６がうちわ１００の柄１０２の孔１０４に係合する。よって、うちわグリップ１がうちわ１００から外れにくくなり、うちわグリップ１を介してうちわ１００の柄１０２を握りやすくなる。
【００１８】
突起１６が正面側部分４及び背面側部分６の両方に形成されているので、孔１０４の両方から突起１６が係合する。よってうちわグリップ１がうちわ１００の柄１０２により確実に装着され、うちわ１００から外れるのを確実に防止できる。
【００１９】
突起１６が、うちわ１００の柄１０２の孔１０４の形状に対応した形状、つまり矩形の孔１０４と同じ矩形状に形成されているので、突起１６が孔１０４に係合したときに突起１６が孔１０４内でぐらつくことがなく、よってうちわグリップ１を確実にうちわ１００の柄１０２に取り付けることができる。
【００２０】
正面側部分４の外面に突状パターン１４が形成されているので、使用者がこの突状パターン１４に指等を当てることにより、突状パターン１４を滑り止めとして使用することができる。よってうちわグリップ１を取り付けたうちわ１００をより持ちやすくすることができる。
【００２１】
本考案は、以上の実施の形態に限定されることなく、例えば、以下のような態様であってもよい。
前述の実施形態では、グリップ本体２の内面には突起１６が形成され、外面には突状パターン１４が形成されていたが、これに限らず、突起及び／又は突状パターンは必ずしも設けられていなくても良い。
突起は、正面側部分及び背面側部分の両方に設けられていたが、これに限らず、正面側部分及び背面側部分のいずれか一方に設けられていてもよい。
突起の形状は、矩形状に限らず任意に決定することができ、また必ずしもうちわの柄の孔の形状に対応していなくても良い。
【符号の説明】
【００２２】
１  うちわグリップ
２  グリップ本体
１４  突起
１６  突状パターン
１００  うちわ
１０２  柄
１０４  孔
【図１】
0003216998.tif 000003
【図２】
0003216998.tif 000004
【図３】
0003216998.tif 000005
【図４】
0003216998.tif 000006
【図５】
0003216998.tif 000007
【図６】
0003216998.tif 000008
【図７】
0003216998.tif 000009
【図８】
0003216998.tif 000010
【図９】
0003216998.tif 000011
【図１０】
0003216998.tif 000012